(57)【要約】【課題】居住空間の開放感、独立性および採光性に優れ、さらには外観デザインにも十分に配慮された住宅を提供すること。【解決手段】建物内の同一階に、リビング２およびダイニング３が外壁４側に寄せて配置された住宅Ｔ１において、第１の外壁５と第２の外壁６が直交する形態で連続して平面Ｌ形の入り隅のコーナー部７ａが形成され、第１の外壁５の内側にリビング２が配置され、第２の外壁６の内側にダイニング３が配置され、第１の外壁５および第２の外壁６の少なくとも一方に複数の窓８，９が設けられ、第１の外壁５の外側と、第２の外壁６の外側にバルコニーやテラス等の共用空間１０が配置され、リビング２とダイニング３を連続する連続部１１が設けられ、連続部１１の間口がリビング２およびダイニング３の間口よりも狭い構造。【選択図】      図１
2005002628.tif 000002
【特許請求の範囲】
【請求項１】
建物内の同一階に、リビングおよびダイニングが外壁側に寄せて配置された住宅において、
第１の外壁と第２の外壁が直交する形態で連続して平面Ｌ形の入り隅のコーナー部が形成され、前記第１の外壁の内側に前記リビングが配置され、前記第２の外壁の内側に前記ダイニングが配置されていることを特徴とする住宅。
【請求項２】
請求項１記載の住宅において、前記第１の外壁および前記第２の外壁の少なくとも一方に複数の窓が設けられていることを特徴とする住宅。
【請求項３】
請求項１または２記載の住宅において、前記第１の外壁の外側と、前記第２の外壁の外側にバルコニーやテラス等の共用空間が配置されていることを特徴とする住宅。
【請求項４】
請求項１〜３の何れかに記載の住宅において、前記リビングと前記ダイニングを連続する連続部が設けられていることを特徴とする住宅。
【請求項５】
請求項４記載の住宅において、前記連続部の間口が、前記リビングおよび前記ダイニングの間口よりも狭いことを特徴とする住宅。
【請求項６】
請求項１〜５の何れかに記載の住宅において、前記ダイニングまたは前記リビングの少なくとも一方に隣接して、キッチンが配置されていることを特徴とする住宅。
【発明の詳細な説明】
【０００１】
【発明の属する技術分野】
本発明は、採光性に優れた効果を有する住宅の技術に関する。
【０００２】
【背景技術】
【０００３】
従来、住宅の居住空間において、快適性や居住性を確保するために様々な工夫がなされてきた。特に複数の居住者が共用するリビングやダイニングなどにおいては、より高い開放感を得るために、リビングおよびダイニングを壁等で仕切ることなく一体的に開放した住宅などがある（例えば、特許文献１参照。）。このような住宅では、居室の隅々まで見通すことができ、１つの大空間を形成することができるため、非常に開放的な居住空間となる。
【０００４】
【特許文献１】
特開２００１−２９５４８１
【０００５】
【発明が解決しようとする課題】
しかしながら、近年、特に大都市圏では土地の高騰化が進んでおり、敷地面積はさほど広くないことが多い。この場合、建ぺい率の制限いっぱいに建築する必要がある。上記、従来例では大きな敷地面積では有効であってが、限られた敷地面積に建築する場合には問題があった。また、住宅内にはダイニングなどのプライベート空間と、来客者用にも使用可能なリビングなどのパブリック（共用）空間とが確保されている住宅が求められており、それぞれが独立していることが望ましいとされている。
【０００６】
但し、壁や間仕切り等で各空間を仕切ると開放感を損なうことになり、いかに開放感を損なうことなく独立空間を形成することが大きな課題となっていた。さらに、高い居住性を確保するためには、採光性を確保することや、リビングからダイニングなどへの移動を容易にすることも重要な要素であった。したがって、居住性の向上を図るために、開放感と独立空間、採光性とを十分に配慮した住宅であることが望ましい。
【０００７】
本発明は、居住空間の開放感、独立性および採光性に優れ、さらには外観デザインにも十分に配慮された住宅を提供することにある。
【課題を解決するための手段】
【０００８】
本発明は、建物内の同一階に、リビングおよびダイニングが外壁側に寄せて配置された住宅において、第１の外壁と第２の外壁が直交する形態で連続して平面Ｌ形の入り隅のコーナー部が形成され、第１の外壁の内側にリビングが配置され、第２の外壁の内側にダイニングが配置されている構造とした。
【０００９】
このような本発明によれば、居住空間の独立性およびデザイン性に優れた住宅とすることができる。すなわち、この住宅の外壁は矩形状ではなく、外壁（第２の外壁）の一部が室内側に引き込んでＬ字形の形態で形成されている。換言すると、第２の外壁の室外側コーナー部は出隅で形成され、第１の外壁と第２の外壁が直交するコーナー部は入り隅で形成されている。
【００１０】
これにより、リビングおよびダイニングを斜めにずらして配置することができるため、各空間の居住性を確保しつつ、独立性も併せて維持することができる。また、上記構造により、余分な床面積を増やさない構造とすることができる。つまり、大都市圏で多くみられるように、限られた敷地面積内でも居住者に適した住宅を容易に構成することができる。さらに、このような外壁構造とすることで、立体感があり、変化に富んだ住宅の外観デザインを形成することができる。
【００１１】
前記第１の外壁および前記第２の外壁の少なくとも一方に複数の窓が設けられていることが望ましい。このように形成した場合、採光性および開放感に優れた居住空間を形成することができる。すなわち、一般的なリビングやダイニング等の居室には採光窓が設けられているが、これに加えて、第１、第２の外壁に複数の窓を設けることにより、新たに外部からの光を取り入れることができる、いわゆる多面採光性を有する居住空間が形成される。これにより、リビングおよびダイニングから外部が見られるため、非常に優れた開放感が生まれ、居住空間をより快適にすることができる。
【００１２】
前記第１の外壁の外側と、第２の外壁の外側にバルコニーやテラス等の共用空間が配置されていることが望ましい。このように配置した場合、リビングおよびダイニングからバルコニーやテラス等に自由に移動可能となるため、より開放感のある居住空間が形成される。
【００１３】
前記リビングとダイニングを連続する連続部が設けられていることが望ましい。このように形成した場合、リビングとダイニングを直接移動することができるため、利便性に優れた構造となる。また、リビングとダイニングが連続していることにより、開放感が生まれるため、居住性の向上を図ることができる。
【００１４】
前記連続部の間口が、リビングおよびダイニングの間口よりも狭いことが望ましい。このように形成した場合、リビングおよびダイニングの開放感を維持した上で、独立性も確保することができる。すなわち、連続部の間口はリビングおよびダイニングの間口よりも狭く形成されていることにより、それぞれが独立した空間となっているように形成されるが、実際には連続部により連続しているため、開放感を損なうことのない空間を形成することができる。
【００１５】
前記ダイニングまたはリビングの少なくとも一方に隣接して、キッチンが配置されていることが望ましい。このように配置した場合、居住性の向上を図ることができる。すなわち、ダイニングまたはリビングに隣接してキッチンを配置することにより、食事等を調理および運ぶ際に便利となり、リビングおよびダイニングをより快適な空間とすることができる。
【００１６】
【発明の実施の形態】
以下、本発明の実施の形態について、図面を参照して説明する。
図１は第１実施形態を示す住宅Ｔ１の平面間取り図である。本実施形態は住宅Ｔ１の同一階に、リビング２およびダイニング３が外壁４側に寄せて配置されており、リビング側外壁５（第１の外壁）とダイニング側外壁６（第２の外壁）が直交する形態で連続して平面Ｌ形の入り隅のコーナー部７ａが形成され、その反対側に出隅のコーナー部７ｂが形成され、リビング側外壁５の内側にリビング２が配置され、ダイニング側外壁６の内側にダイニング３が配置されている。このリビング側外壁５の幅は約２間半であり、ダイニング側外壁６の幅は約１間半である。
【００１７】
また、リビング側外壁５の外側と、ダイニング側外壁６の外側にバルコニー１０が配置され、リビング２とダイニング３を連続する出入り口１１（連続部）が設けられている。出入り口１１の間口は、約１間であり、リビング２の間口（リビング側外壁５から外壁４ａを基準として）が約３間であり、ダイニング３の間口（外壁４から内壁４ｂを基準として）が約２間である。すなわち、出入り口１１の間口は、リビング２およびダイニング３の間口よりも狭く形成されている。
【００１８】
また、ダイニング２に隣接してキッチン１２と廊下１３が配置され、廊下１３に隣接して個室１４と階段１５が配置されており、リビング２に延設してテラス１６が配置されている。この住宅Ｔ１の外壁４には複数の窓が設けられており、リビング２ではリビング側外壁５に窓８、その反対側に窓１７およびテラス１６に窓２１と、ダイニング３ではダイニング側外壁６に窓９、それに隣接して窓１８と、キッチン１２では窓１９と、個室１４では窓２０がそれぞれ設けられている。
【００１９】
上記住宅Ｔ１によると、リビング２およびダイニング３に開放感と採光性を与え、それぞれが独立空間とした構造とすることができる。すなわち、この住宅Ｔの外壁４は矩形状ではなく、ダイニング側外壁６が室内側に引き込んでＬ字形の形態で形成されている。
【００２０】
これにより、リビング２およびダイニング３を斜めにずらして配置することができるため、各空間の居住性を確保しつつ、来客時などにも独立性を維持することができる。また、上記構造により、余分な床面積を増やさない構造とすることができる。つまり、大都市圏で多くみられるように、限られた敷地面積内でも居住者に適した住宅を容易に構成することができる。さらに、このような外壁構造とすることで、立体感があり、変化に富んだ住宅の外観デザインを形成することができる。
【００２１】
また、窓８，９を設けることにより、採光性および開放感に優れた居住空間を形成することができる。すなわち、一般的なリビングやダイニング等の居室には採光窓が設けられているが、これに加えて、リビング側外壁５とダイニング側外壁６に複数の窓８，９を設けることにより、新たに外部からの光を取り入れることができる、いわゆる多面採光性を有する居住空間が形成される。これにより、リビング２およびダイニング３からバルコニー１０や外部が見られるため、非常に優れた開放感が生まれ、また、バルコニー１０へ自由に移動することもでき、居住空間をより快適にすることができる。
【００２２】
また、リビング２とダイニング３が出入り口１１により連続した空間となっており、さらに、出入り口１１の間口はリビング２およびダイニン３の間口よりも狭く形成されていることで、リビング２とダイニング３を直接移動することができ、利便性に優れた構造となっている。また、リビング２およびダイニング３の開放感を維持した上で、独立性も確保することができる。
【００２３】
また、出入り口１１の間口はリビング２およびダイニン３の間口よりも狭く形成されていることにより、それぞれが独立した空間となっているように形成されるが、実際には出入り口１１により連続しているため、開放感を損なうことのない空間を形成することができる。
【００２４】
また、ダイニング３に隣接してキッチン１２が配置することで、食事等を調理および運ぶ際に便利となり、リビング２およびダイニング３をより快適な空間とすることができ、居住性の向上を図ることができる。
【００２５】
図２は第２実施形態の住宅を示す住宅Ｔ２の平面間取り図である。本実施形態は住宅Ｔ２の同一階に、リビング２２およびダイニング２３が外壁２４側に寄せて配置されており、リビング側外壁２５（第１の外壁）とダイニング側外壁２６（第２の外壁）が直交する形態で連続して平面Ｌ形の入り隅のコーナー部２７ａが形成され、その反対側に出隅のコーナー部２７ｂが形成され、リビング側外壁２５の内側にリビング２２が配置され、ダイニング側外壁２６の内側にダイニング２３が配置されている。このリビング側外壁２５の幅は約１間半であり、ダイニング側外壁２６の幅は約２間である。
【００２６】
また、リビング側外壁２５の外側と、ダイニング側外壁２６の外側にテラス２８が配置され、リビング２２とダイニング２３を連続する出入り口２９（連続部）が設けられている。出入り口２９の間口は、約半間であり、リビング２２の間口（コーナー部２７ｂから内壁２４ｂを基準として）が約２間であり、ダイニング２３の間口（ダイニング側外壁２６から内壁２４ｃを基準として）が約２間である。すなわち、出入り口２９の間口は、リビング２２およびダイニング２３の間口よりも狭く形成されている。
【００２７】
また、ダイニング２３に隣接してキッチン３０と、リビングに２２に隣接して和室３１が配置されている。この住宅Ｔ２の外壁２４には複数の窓が設けられており、リビング２２では窓３２、３３と、ダイニング２３では窓３４、３５と、キッチン３０では窓３６と、和室３１では窓３７がそれぞれ設けられている。
【００２８】
上記、住宅Ｔ２により、リビング２２およびダイニング２３を斜めにずらして配置することができるため、各空間の居住性を確保しつつ、来客時などにも独立性を維持することができる。また、リビング２２およびダイニング２３の両方から和室３１へ移動可能に形成されているため、非常に開放感のある構造となっている。また、複数の窓を設けることができるため、十分な採光性も確保することができる。さらに、出入り口２９を設けることで、リビング２２およびダイニング２３を連続させることができ、より一層、開放感を向上させることができる。また、このような外壁構造とすることで、立体感があり、変化に富んだ住宅の外観デザインを形成することができる。
【００２９】
図３は第３実施形態の住宅を示す住宅Ｔ３の平面間取り図である。本実施形態は住宅Ｔ３の同一階に、リビング４２およびダイニング４３が外壁４４側に寄せて配置されており、リビング側外壁４５（第１の外壁）とダイニング側外壁４６（第２の外壁）が直交する形態で連続して平面Ｌ形の入り隅のコーナー部４７ａが形成され、その反対側に出隅のコーナー部４７ｂが形成され、リビング側外壁４５の内側にリビング４２が配置され、ダイニング側外壁４６の内側にダイニング４３が配置されている。このリビング側外壁４５の幅は約１間であり、ダイニング側外壁４６の幅は約１間半である。
【００３０】
また、リビング４２とダイニング４３を連続する出入り口５６（連続部）が設けられている。出入り口５６の間口は、約半間であり、リビング４２の間口（外壁４４から内壁４４ｂを基準として）が約２間であり、ダイニング４３の間口（ダイニング側外壁４６から外壁４４ａを基準として）が約３間である。すなわち、出入り口５６の間口は、リビング４２およびダイニング４３の間口よりも狭く形成されている。
【００３１】
また、ダイニング４３に隣接してキッチン４５と、廊下５５が配置されている。この住宅Ｔ３の外壁４４には複数の窓が設けられており、リビング４２では窓５４と、ダイニング４３では窓４８、４９，５０と、キッチン４５では窓５１，５２、５３がそれぞれ設けられている。
【００３２】
上記、住宅Ｔ３により、リビング４２およびダイニング４３を斜めにずらして配置することができるため、各空間の居住性を確保しつつ、来客時などにも独立性を維持することができる。特に、廊下５５が設けられていることで、独立性の確保に良好な形態となっている。また、複数の窓が設けられているため、十分な採光性も確保することができる。さらに、出入り口５６を設けることで、リビング４２およびダイニング４３を連続させることができ、開放感を向上させることができる。また、このような外壁構造とすることで、立体感があり、変化に富んだ住宅の外観デザインを形成することができる。この住宅Ｔ３は、比較的狭い敷地に適した形態であり、例えば３階建て住宅等に利用することが好ましい。
【００３３】
図４は第４実施形態の住宅を示す住宅Ｔ４の平面間取り図である。本実施形態は住宅Ｔ４の同一階に、リビング６２およびダイニング６３が外壁６４側に寄せて配置されており、リビング側外壁６５（第１の外壁）とダイニング側外壁６６（第２の外壁）が直交する形態で連続して平面Ｌ形の入り隅のコーナー部６７ａが形成され、その反対側に出隅のコーナー部６７ｂが形成され、リビング側外壁６５の内側にリビング６２が配置され、ダイニング側外壁６６の内側にダイニング６３が配置されている。このリビング側外壁４５の幅は約１間であり、ダイニング側外壁４６の幅は約１間半である。
【００３４】
また、リビング６２とダイニング６３を連続する出入り口６８（連続部）が設けられている。出入り口６８の間口は、約半間であり、リビング６２の間口（外壁６４から内壁６４ｂを基準として）が約３間半であり、ダイニング６３の間口（ダイニング側外壁６６から外壁６４ａを基準として）が約３間である。すなわち、出入り口６８の間口は、リビング６２およびダイニング６３の間口よりも狭く形成されている。
【００３５】
また、ダイニング６３に隣接してキッチン６９と、リビング６２に隣接して和室７０が配置されている。この住宅Ｔ４の外壁６４には複数の窓が設けられており、リビング６２では窓７１、７２，７３と、ダイニング６３では窓７４、７５、７６、７７と、キッチン６９では窓７８、７９と、和室７０では窓８０がそれぞれ設けられている。
【００３６】
上記、住宅Ｔ４により、リビング６２およびダイニング６３を斜めにずらして配置することができるため、各空間の居住性を確保しつつ、来客時などにも独立性を維持することができる。特に、リビング６２およびダイニング６３には複数の窓が設けられているため、十分な採光性を確保することができ、非常に明るい空間が形成される。
【００３７】
さらに、出入り口６８を設けることで、リビング６２およびダイニング６３を連続させることでき、開放感を向上させることができる。また、このような外壁構造とすることで、立体感があり、変化に富んだ住宅の外観デザインを形成することができる。この住宅Ｔ４は、敷地面積に余裕のある比較的大きな住宅構造であって、大きく開放的な居住空間と高い採光性、および独立性にも十分に配慮された、非常に快適な住宅を形成することができる。
【００３８】
【発明の効果】
以上のように、本発明によれば、居住空間の開放感、独立性および採光性に優れ、さらには外観デザインにも十分に配慮された住宅を提供することができる。
【図面の簡単な説明】
【図１】本発明の第１実施形態に係る住宅Ｔ１を示す平面間取り図である。
【図２】本発明の第２実施形態に係る住宅Ｔ２を示す平面間取り図である。
【図３】本発明の第３実施形態に係る住宅Ｔ３を示す平面間取り図である。
【図４】本発明の第４実施形態に係る住宅Ｔ４を示す平面間取り図である。
【符号の説明】
２，２２，４２，６２  リビング
３，２３，４３，６３  ダイニング
４，４ａ，２４，２４ａ，４４，４４ａ，６４，６４ａ  外壁
４ｂ，２４ｂ，２４ｃ，４４ｂ，６４ｂ  内壁
５，２５，４５，６５  リビング側外壁
６，２６，４６，６６  ダイニング側外壁
７ａ，７ｂ，２７ａ，２７ｂ，４７ａ，４７ｂ，６７ａ，６７ｂ  コーナー部
８，９，１７〜２１，３２〜３７，４８〜５４，７１〜８０  窓
１０  バルコニー
１１，２９，５６，６８  出入り口
１２，３０，４５，６９  キッチン
１３，５５  廊下
１４  個室
１５  階段
１６，２８  テラス
３１，７０  和室
【図１】
2005002628.tif 000003
【図２】
2005002628.tif 000004
【図３】
2005002628.tif 000005
【図４】
2005002628.tif 000006